(57)【要約】【課題】  記録用紙に描画された命令情報に基づく画像処理の誤作動を抑制する画像処理装置を提供する。【解決手段】  記録用紙上の描画内容を画像読取装置に光学的に読取らせる画像読取制御部５８１と、読取結果に応じた記録用紙に対する命令情報を表示装置に表示させる表示制御部５８５と、命令情報に誤りがない旨の確認結果を入力装置から受信した場合に、命令情報を実行する印刷制御部１２５と、を有することを特徴とする。さらに、読取結果に基づく命令情報の正誤を判定する認識正当性確認部５８８を備え、印刷制御部１２５は、判定結果に誤りがあると判定した場合に、命令情報の実行を中止することを特徴としている。【選択図】  図４
2008244582.tif 000002
【特許請求の範囲】
【請求項１】
画像処理対象物上の描画内容を読取装置に光学的に読取らせる読取制御手段と、
読取結果に応じた画像処理対象物に対する命令情報を表示装置に表示させる表示制御手段と、
前記命令情報に誤りがない旨の確認結果を入力装置から受信した場合に、前記命令情報を実行する実行手段と、
を有することを特徴とする画像処理装置。
【請求項２】
前記読取結果に基づく命令情報の正誤を判定する判定手段を備え、
前記実行手段は、判定結果に誤りがあると判定した場合に、前記命令情報の実行を中止することを特徴とする請求項１に記載の画像処理装置。
【請求項３】
前記判定手段は、記憶手段に記憶される命令情報と、前記読取結果に基づく命令情報との差分情報に基づいて判定することを特徴とする請求項２に記載の画像処理装置。
【請求項４】
前記表示制御手段は、前記判定手段から誤りのない命令情報が複数である旨を受信した場合に、当該複数の命令情報を表示装置に表示することを特徴とする請求項２または３に記載の画像処理装置。
【請求項５】
前記実行手段は、前記判定手段から誤りのない命令情報が１つである旨を検出した場合に、当該命令情報を実行することを特徴とする請求項２から４のいずれか１項に記載の画像処理装置。
【請求項６】
前記判定手段は、読取結果に基づく命令情報と、前記入力装置から入力される利用者識別情報に基づく命令情報とを照合し、
前記実行手段は、前記判定手段による照合結果が不当であった場合に、読取結果に基づく実行を中止することを特徴とする請求２から５のいずれか１項に記載の画像処理装置。
【請求項７】
前記命令情報に、動的に変更される認証用情報を埋め込んで前記画像処理対象物に出力する情報出力手段をさらに有することを特徴とする請求項１から６のいずれか１項に記載の画像処理装置。
【請求項８】
画像処理対象物上の描画内容を光学的に読取る読取装置と、
読取結果に応じた画像処理対象物に対する命令情報を表示する表示装置と、
前記命令情報に誤りがない旨の確認結果を入力装置から受信した場合に、前記命令情報を実行する実行装置と、
を有することを特徴とする画像形成装置。
【請求項９】
コンピュータを、
画像処理対象物上の描画内容を読取装置に光学的に読取らせる読取制御手段と、
読取結果に応じた画像処理対象物に対する命令情報を表示装置に表示させる表示制御手段と、
前記命令情報に誤りがない旨の確認結果を入力装置から受信した場合に、前記命令情報を実行する実行手段として機能させるることを特徴とする画像処理プログラム。
【発明の詳細な説明】
【技術分野】
【０００１】
本発明は、画像処理装置、画像形成装置及び画像処理プログラムに関する。
【背景技術】
【０００２】
例えば特許文献１で示すように、画像と二次元符号が描画された記録用紙をスキャンして、その読取結果から、二次元符号が備えた画像処理に関する命令（以下、命令情報という。）を実行する画像処理装置が知られている。
【特許文献１】特開２００５−１９６６３７号公報
【発明の開示】
【発明が解決しようとする課題】
【０００３】
本発明は、命令情報に基づく画像処理の誤作動を抑制する画像処理装置を提供することを目的とする。
【課題を解決するための手段】
【０００４】
請求項１に記載の発明は、画像処理対象物上の描画内容を読取装置に光学的に読取らせる読取制御手段と、読取結果に応じた画像処理対象物に対する命令情報を表示装置に表示させる表示制御手段と、命令情報に誤りがない旨の確認結果を入力装置から受信した場合に、命令情報を実行する実行手段と、を有することを特徴とする画像処理装置である。
【０００５】
請求項２に記載の発明は、請求項１に記載の発明において、読取結果に基づく命令情報の正誤を判定する判定手段を備え、実行手段が、判定結果に誤りがあると判定した場合に、命令情報の実行を中止することを特徴としている。
【０００６】
請求項３に記載の発明は、請求項２に記載の発明において、判定手段が、記憶手段に記憶される命令情報と、読取結果に基づく命令情報との差分情報に基づいて判定することを特徴としている。
【０００７】
請求項４に記載の発明は、請求項２または３に記載の発明において、表示制御手段が、判定手段から誤りのない命令情報が複数である旨を受信した場合に、当該複数の命令情報を表示装置に表示することを特徴としている。
【０００８】
請求項５に記載の発明は、請求項２から４のいずれか１項に記載の発明において、実行手段が、判定手段から誤りのない命令情報が１つである旨を検出した場合に、当該命令情報を実行することを特徴としている。
【０００９】
請求項６に記載の発明は、請求項２から５のいずれか１項に記載の発明において、判定手段が、読取結果に基づく命令情報と、入力装置から入力される利用者識別情報に基づく命令情報とを照合し、実行手段は、判定手段による照合結果が不当であった場合に、読取結果に基づく実行を中止することを特徴としている。
【００１０】
請求項７に記載の発明は、請求項１から６のいずれか１項に記載の発明において、命令情報に、動的に変更される認証用情報を埋め込んで画像処理対象物に出力する情報出力手段をさらに有することを特徴としている。
【００１１】
請求項８に記載の発明は、画像処理対象物上の描画内容を光学的に読取る読取装置と、読取結果に応じた画像処理対象物に対する命令情報を表示する表示装置と、命令情報に誤りがない旨の確認結果を入力装置から受信した場合に、命令情報を実行する実行装置と、を有することを特徴とする画像形成装置である。
【００１２】
請求項９に記載の発明は、コンピュータを、画像処理対象物上の描画内容を読取装置に光学的に読取らせる読取制御手段と、読取結果に応じた画像処理対象物に対する命令情報を表示装置に表示させる表示制御手段と、命令情報に誤りがない旨の確認結果を入力装置から受信した場合に、命令情報を実行する実行手段として機能させるることを特徴とする画像処理プログラムである。
【発明の効果】
【００１３】
請求項１に係る発明によれば、画像処理対象物に描画された命令情報に基づく画像処理の誤作動を抑制できる。
【００１４】
請求項２に係る発明によれば、利用者に命令情報の正誤を判断させないようにすることができる。
【００１５】
請求項３に係る発明によれば、予め記憶手段に記憶させた命令情報と、読取結果に基づく命令情報との差分情報に基づいて、命令情報の正誤を判断できる。
【００１６】
請求項４に係る発明によれば、正しい命令情報であると判断したものが複数あった場合には、表示装置に表示させて利用者に判断を仰ぐことができる。
【００１７】
請求項５に係る発明によれば、正しい命令情報であると判断したものが１つであった場合には、利用者に判断を仰ぐ必要がなくなる。
【００１８】
請求項６に係る発明によれば、読取結果に基づく命令情報を実行する際に、入力された利用者識別情報に応じた命令情報と照合するため、当該利用者識別情報が不当である場合には、命令情報の実行を中止できる。
【００１９】
請求項７に係る発明によれば、動的に変更する情報と命令情報とを連携させて実行制御を可能とすることで、命令情報の広範な実行が可能となる。
【００２０】
請求項８に係る発明によれば、画像処理対象物に描画された命令情報に基づく画像処理の誤作動を抑制できる。
【００２１】
請求項９に係る発明によれば、画像処理対象物に描画された命令情報に基づく画像処理の誤作動を抑制できる。
【発明を実施するための最良の形態】
【００２２】
以下、本発明の実施形態について、図面を参照して具体的に説明する。
図１は本発明の実施形態に係る画像形成装置が適用可能な画像処理システムの構成図、図２は画像形成装置の要部構成を示す機能ブロック図、図３は画像処理装置のハードウェア構成を示すブロック図である。
【００２３】
画像処理システムは、図１に示すように、ＯＣＲ(Optical Character Reader)装置１００、ＩＣカード読取装置２００、利用者認証サーバ３００、ファイルサーバ４００、複合機５００等から構成される。これらは、ケーブルやファイアウォール装置６００等で構成されるネットワーク７００を介して互いに接続される。尚、ネットワーク７００は、有線による通信に限られず、無線通信等によって通信されるようにしてもよい。また、図１において、ＯＣＲ装置１００、ＩＣカード読取装置２００及び利用者認証サーバ３００は、複合機５００と別体となって記載されているが、これらの装置は、全部又はその一部が、複合機５００に一体形成されていてもよい。
【００２４】
ＯＣＲ装置１００は、画像情報から文字や二次元符号を読取って、これらに応じた文字情報や二次元符号情報等を生成する装置である。ＯＣＲ装置１００は、複合機５００による制御に従って動作する。
【００２５】
ＩＣカード読取装置２００は、必要に応じて複合機５００に接続され、ＩＣカード２５０に記録される内容を読取り、読取結果を複合機５００に送信する。ＩＣカード２５０には例えば利用者識別情報が記録される。したがって、ＩＣカード２５０に記録された利用者識別情報を複合機５００に送信し、複合機５００がさらに当該利用者識別情報を利用者認証サーバ３００に送信することで、複合機５００の利用者の正当性が確認される。尚、ＩＣカード２５０は、複合機５００を管理する管理者等によって利用者ごとに配布される情報記録媒体である。
【００２６】
利用者認証サーバ３００は、利用者識別情報やパスワード等を受信して複合機５００の操作権限を応答するサーバ装置である。利用者認証サーバ３００は、利用者識別情報ごとに割り当てられた操作権限に関する情報を有する。例えば、利用者が複合機５００を利用する際に、その利用者が正当な利用者であるか否かを判断するには、複合機５００に対して利用者に利用者識別情報やパスワードの入力を要求したり、ＩＣカード２５０の挿入を要求したりする。複合機５００に入力等された利用者識別情報を利用者認証サーバ３００が受信することにより、利用者認証サーバ３００は利用者の操作権限に関する情報を複合機５００に応答する。
【００２７】
ファイルサーバ４００は、例えば文書情報や画像情報等を格納するサーバ装置である。複合機５００から文書情報等の送信を要求する信号を受信すると、ファイルサーバ４００は当該信号に応じて複合機５００に文書情報等を送信する。したがって、複合機５００は受信した文書情報等に対し適宜印刷処理等を行う。
【００２８】
ファイアウォール装置６００は、例えば複合機５００等とネットワーク７００との間に設置される通信制御装置である。ファイアウォール装置６００は、上述したファイルサーバ４００からの文書情報等にコンピュータウィルス等が含まれていた場合には、文書情報等の複合機５００への送信を遮断する。尚、当該ファイアウォール装置６００は必須の構成要件ではなく、必要に応じて設置すればよい。
【００２９】
複合機５００は、本発明の画像形成装置の一例であって、図２に示すように、入力装置５１０、表示装置５２０、画像読取装置５３０、記憶装置５４０、印刷装置５５０、ＦＡＸ装置５６０、Ｉ／Ｆ５７０、画像処理装置５８０等を備える機器である。尚、複合機に５００は、印刷機能やＦＡＸ機能だけに限られず、複写機能や電子メール送受信等、画像処理に関する機能を適宜備えることができる。
【００３０】
入力装置５１０は、利用者が複合機５００を作動させるために指示を入力するための装置であって、例えば操作ボタン等で構成される。利用者によって操作ボタンが押下されると、その指示に応じて後述する画像処理装置５８０等が動作する。また、入力装置５１０には利用者の正当性を確認するための利用者識別情報やパスワード、命令情報等も入力される。入力された利用者識別情報等は、利用者認証サーバ３００等により認証される。尚、利用者識別情報は、複合機５００を利用するにあたり、複合機５００を管理する管理者等によって利用者ごとに割り当てられる情報である。
【００３１】
表示装置５２０は、例えば液晶ディスプレイ等で構成される。画像処理に関する操作内容や命令情報、利用者識別情報等が表示される。また、各装置に応じた動作が終了した場合には、その旨が液晶ディスプレイに表示される。表示装置５２０が例えばタッチパネル方式で構成されている場合には、上述した入力装置５１０の機能と表示装置５２０の機能とを一体化することが可能となる。
【００３２】
画像読取装置５３０は、画像処理対象物となる記録用紙上の描画内容を光学的に読取る装置であって、例えばスキャナ装置で構成される。描画内容には例えば文字、図形、記号、例えばＱＲコードといった二次元符号等がある。画像読取装置５３０は読取結果を画像情報としてＯＣＲ装置１００に送信する。尚、画像処理対象物は、紙に限られず金属やプラスチック等であってもよい。
【００３３】
記憶装置５４０は、例えばハードディスク等で構成される。入力装置５１０による入力結果、画像読取装置５３０による読取結果、後述する画像処理装置５８０の処理結果、表示すべき内容等を一時的に記憶したり、長期的に記憶したりする。
【００３４】
印刷装置５５０は、本発明の情報書込手段の一例であって、レーザー光源、帯電器、反射ミラー、トナーカートリッジ等で構成される。画像処理装置５８０による制御に応じて、記録用紙に文書情報等に応じた文字や画像等を出力する。
【００３５】
ＦＡＸ装置５６０は、画像処理装置５８０による制御に従って動作し、入力装置５１０から入力されたファクシミリの配信先に係るファクシミリ番号に基づき、複合機５００等が読取った読取結果を画像情報としてファクシミリ送信する。
【００３６】
Ｉ／Ｆ５７０は、複合機１００の内部の装置と外部の装置との入出力をインタフェースである。したがって、ＩＣカード読取装置２００やＯＣＲ装置１００等の読取結果は、Ｉ／Ｆ５７０を通じて行われる。
【００３７】
画像処理装置５８０は、上述した入力装置５１０、表示装置５２０、その他、複合機５００の有する各装置の動作を制御する。画像処理装置５８０は、コンピュータ、すなわち、図３に示すように、ＣＰＵ５８０ａ等の処理装置、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ５８０ｂ、フラッシュメモリ等のＲＯＭ(Read Only Memory)５８０ｃ、入力装置５１０や表示装置５２０等の外部装置との入出力を行う入出力Ｉ／Ｆ（インタフェース）５８０ｄ等がバス５８０ｅにより接続されたハードウェア構成により実現される。
【００３８】
したがって、ＣＰＵ５８０ａがＲＯＭ５８０ｃに格納された所要のプログラムを読み込み、当該プログラムに従った演算を行うことにより、画像処理装置５８０内の各機能が実現される。尚、上述した利用者認証サーバ３００、ファイルサーバ４００、ファイアウォール装置６００等についても同様の構成を有する。
【００３９】
ここで、画像処理装置５８０について図４を参照してさらに詳しく説明する。
図４は画像処理装置５８０の要部構成を示す機能ブロック図である。
画像処理装置５８０は、図４に示すように、画像読取制御部５８１、読取画像記憶部５８２、ＯＣＲ制御部５８３、命令情報抽出部５８４、表示制御部５８５、入力制御部５８６、利用者認証部５８７、認識正当性確認部５８８、操作許可情報記憶部５８９、実行正当性確認部５９０、動作履歴記憶部５９１、識別情報書換部５９２、ＬＡＮ制御部５９３、ＦＡＸ制御部５９４、印刷制御部５９５等から構成される。
【００４０】
画像読取制御部５８１は、本発明の読取制御手段の一例であって、画像読取装置５３０の読取結果となる画像情報を受信する。そして、当該画像情報を読取画像記憶部５８２に逐次記憶していく。
【００４１】
ＯＣＲ制御部５８３は、読取画像記憶部５８２から画像情報を抽出し、ＯＣＲ装置１００に当該画像情報を送信し、ＯＣＲ処理をさせる。この結果、画像情報に含まれる文字、図形、記号、二次元符号等が文字情報、図形情報、記号情報、二次元符号情報等となる。ＯＣＲ制御部５８３は、これらの情報を受信して、命令情報抽出部５８４に送信する。
【００４２】
命令情報抽出部５８４は、上述した情報を受信して命令情報を抽出する。命令情報は、例えば、電子メールを送受信する旨を表す命令「Mail to」や、印刷を行う旨を示す命令「Print to」、その他これらの命令に必要な情報等で構成される。したがって、命令情報抽出情報５８４はこれらの命令情報を抽出して表示制御部５８５に送信したり、設定に応じて認識正当性確認部５８８に送信する。
【００４３】
表示制御部５８５は、本発明の表示制御手段の一例であって、表示装置５２０に表示させる内容を制御する。表示制御部５８５は、命令情報抽出部５８４から上述した命令情報を受信すると、複合機５００に対する設定に応じて、これらの命令情報に応じた命令を表示装置５２０に表示させる。また、認識正当性確認部５８８や実行正当性確認部５９０からの指示に応じて、利用者識別情報の入力を要求する表示を表示装置５２０に表示させる。表示装置５２０に命令を表示させる旨の設定がされている場合には、利用者は画像読取装置５３０が読取った命令を視認する。
【００４４】
入力制御部５８６は、入力装置５１０から得られる指示を制御する。例えば、表示された内容に応じた入力がされた場合には、その入力に応じた指示を複合機５００の各機能に動作させる。したがって、表示装置５２０に表示された命令に対し、利用者から誤りがない旨の確認結果が入力された場合には、命令情報に応じた画像処理を実行する。また、表示装置５２０に利用者識別情報等の入力を要求された場合には、入力装置５１０から入力された利用者識別情報等を利用者認証部５８７に送信する。
【００４５】
利用者認証部５８７は、利用者識別情報等を受信すると、当該利用者識別情報等を利用者認証サーバ３００に送信する。その結果、利用者認証サーバ３００から利用者が正当である旨の情報を受信した場合には、当該情報を認識正当性確認部５８８に送信する。逆に、利用者が不当である旨の情報を受信した場合には、必要に応じて、表示制御部５８５にその旨の情報を送信し、表示制御部５８５が表示装置５２０に複合機５００を利用できない旨を表示させる。
【００４６】
認識正当性確認部５８８は、本発明の実行手段や判定手段等で構成され、表示装置５２０に命令を表示させる旨の設定がされていない場合に、表示制御部５８５に利用者識別情報の入力を要求する指示を出力する。そして、入力された利用者識別情報に応じた許可操作情報を許可操作情報記憶部５８９から抽出し、命令情報と比較する。許可操作情報記憶部５８９は、図５に示すように、利用者識別情報と、利用者識別情報ごとに割り当てられた一又は複数の許可操作情報と、利用者識別情報の属するグループ等から構成される。許可操作は利用者に認められる、複合機５００に対する操作を表している。
【００４７】
例えば、利用者識別情報「Ａ」に対する許可操作は「Ftp to」、「Mail to」、「Print to」となっている。すなわち、認識正当性確認部５８８が、利用者識別情報「Ａ」を受信した場合には、少なくとも「Ftp to」、「Mail to」、「Print to」に関する操作が許可されることとなる。尚、「Ftp to」は文書情報等の送信を示しており、「Mail to」、「Print to」は上述したとおり、それぞれ電子メールを送受信する旨や、印刷を行う旨を示している。
【００４８】
ここで、認識正当性確認部５８８が受信した命令情報と、上述した「Ftp to」、「Mail to」、「Print to」とを比較した結果、命令情報に該当する許可操作情報がない場合には、画像読取装置５３０の読取誤りやＯＣＲ装置１００の誤認識と判断する。このように判断した場合には、画像処理に関する実行処理を中止したり、利用者に許可されている許可操作を表示装置５２０に表示させたりする。
【００４９】
尚、比較処理は、命令情報と、複数の許可操作情報とのそれぞれの差分情報を生成し、当該差分情報が所望の閾値以上である場合には、誤りであるとする判断結果を出力する。また、判断結果が閾値未満であるとする許可操作情報が複数ある場合には、これらの許可操作情報を表示制御部５８５に送信し、表示制御部５８５が表示装置５２０に表示させる。従って、利用者はこれらの許可操作情報の中から、一つの許可操作情報を選択することで、複合機５００は当該許可操作に従った画像処理の実行する。判断結果が閾値未満であるとする許可操作が一つである場合には、複合機５００は当該許可操作情報または命令情報に従った画像処理の実行する。
【００５０】
実行正当性確認部５９０は、表示装置５２０に命令を表示させる旨の設定がされている場合に、表示制御部５８５に利用者識別情報の入力を要求する指示を出力する。そして、入力された利用者識別情報に応じた操作許可情報を操作許可情報記憶部５８９から抽出し、命令情報と比較する。当該比較は、許可操作情報と命令情報とをそのまま比較したり、ハッシュ値を算出して比較したり、命令情報と利用者識別情報の合成情報と、許可操作情報と利用者識別情報の合成情報とによって比較したりする。比較した結果、同一である場合には、画像処理に関する実行の正当性が確認され、当該命令情報を識別情報書換部５９２に送信する。実行正当性確認部５９０は、図６に示すように、実行内容ごとに実行内容を動作履歴情報記憶部５９１に記憶する。
【００５１】
識別情報書換部５９２は、本発明の情報出力手段の一例であって、命令情報に、動的に変更される認証用情報を埋め込んで画像処理対象物に出力する。例えば、命令情報に、当該命令情報によって画像処理を実行した最終日や最終時刻を埋め込んだり、ワンタイムパスワード等を埋め込んだりして記録用紙に出力する。これにより、当該記録用紙を別の機会に取り扱う際に、ワンタイムパスワードの入力が求められたり、最終日等を基準に所定期間経過後には画像処理を実行できなくしたり、広範な利用が可能となる。識別情報書換部５９２は、命令情報をその内容に応じてＬＡＮ制御部５９３、ＦＡＸ制御部５９４、印刷制御部５９５等に送信する。
【００５２】
ＬＡＮ制御部５９３は、Ｉ／Ｆ５７０を制御する。例えば、命令情報が外部の機器を利用して画像処理を行う旨の情報である場合に、Ｉ／Ｆ５７０を遮断したり開放したりして、各種情報の入出力ができるようにする。
【００５３】
ＦＡＸ制御部５９４は、画像処理を実行する装置の一例であって、ＦＡＸ装置５６０を制御する。例えば、命令情報がＦＡＸ装置５６０を利用して文書情報等をファクシミリ送信する旨であった場合には、その旨に基づいて文書情報等をＦＡＸ装置５６０にファクシミリ送信させる。
【００５４】
印刷制御部５９５は、画像処理を実行する一例であって、印刷装置５５０を制御する。例えば、命令情報が印刷装置５５０を利用して文書情報等を印刷する旨であった場合には、その旨に基づいて文書情報等を印刷装置５５０に印刷させる。
【００５５】
続いて、画像処理装置の動作について図７を参照して説明する。
図７は画像処理装置の動作の一例を示すフローチャートである。
画像処理装置５８０は、まず、文書読取開始を検出するまで待機を続け（ステップＳ１）、文書読取開始が検出されたと判断すると、画像形成装置５００にセットされた記録用紙上の描画内容の読取処理を行い（ステップＳ２）、読取画像を記憶する（ステップＳ３）。
【００５６】
画像処理装置５８０は、次いで、読取画像に対してＯＣＲ装置１００にＯＣＲ処理を行わせ（ステップＳ４）、読取画像に含まれる命令情報を抽出する（ステップＳ５）。そして、当該命令情報を画像処理に関する命令として表示装置５２０に表示させる。
【００５７】
画像処理装置５８０は、ここで、命令情報に誤りがない旨を検出したか否かを判定する（ステップＳ７）。命令情報に誤りがある旨を検出した場合には、画像処理装置５８０は表示装置５２０に命令情報の修正を求める表示を行わせ（ステップＳ８）、再度、ステップＳ７の処理を行う。
【００５８】
画像処理装置５８０は、命令情報に誤りがない旨を検出した場合には、次いで、利用者識別情報の入力要求を表示装置５２０に表示させ（ステップＳ９）、利用者識別情報の認証ができたか否かを判定する（ステップＳ１０）。
【００５９】
画像処理装置５８０は、ここで、利用者識別情報に認証ができなかった場合には、再度、ステップＳ９の処理により、利用者識別情報の入力要求を行う。そして、利用者識別情報の認証ができた場合には、当該利用者識別情報に応じた許可操作情報を抽出し、命令情報と比較する（ステップＳ１１）。尚、利用者識別情報の入力要求を例えば５回程度行っても認証できない場合には、命令情報に基づく実行を中止するようにしてもよい。
【００６０】
画像処理装置５８０は、次いで、命令情報に応じた許可操作情報が存在したか否かを判定する（ステップＳ１２）。画像処理装置５８０は、命令情報に応じた許可操作情報が存在したと判定した場合には、さらに、当該命令情報に動的に変更可能な情報が含まれているか否かを判定する（ステップＳ１３）。そして、動的に変更可能な情報が含まれていると判定した場合には、当該情報を適宜書換えて（ステップＳ１４）、命令情報を実行し（ステップＳ１５）、含まれていないと判定した場合には、ステップＳ１４の処理を行わずに、命令情報を実行して処理を終了する。尚、ステップＳ１２の処理において、命令情報に応じた許可操作情報が存在しないと判定した場合には、命令情報の実行を中止して（ステップＳ１６）、処理を終了する。
【００６１】
以上本発明の好ましい実施形態について詳述したが、本発明は係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【産業上の利用可能性】
【００６２】
以上説明したように、本発明によれば、画像処理対象物に描画された命令情報に基づく画像処理の誤作動を抑制でき、産業上の利用可能性が高い。
【図面の簡単な説明】
【００６３】
【図１】画像処理システムの構成図である。
【図２】画像形成装置の要部構成を示す機能ブロック図である。
【図３】画像処理装置のハードウェア構成を示すブロック図である。
【図４】画像処理装置の要部構成を示す機能ブロック図である。
【図５】許可操作情報に関するテーブルである。
【図６】動作履歴情報に関するテーブルである。
【図７】画像処理装置の動作の一例を示すフローチャートである。
【符号の説明】
【００６４】
１００  ＯＣＲ装置
２００  ＩＣカード読取装置
３００  利用者認証サーバ
４００  ファイルサーバ
５００  複合機
５１０  入力装置
５２０  表示装置
５３０  画像読取装置
５４０  記憶装置
５５０  印刷装置
５６０  ＦＡＸ装置
５７０  Ｉ／Ｆ
５８０  画像処理装置
５８０ａ  ＣＰＵ
５８０ｂ  ＲＡＭ
５８０ｃ  ＲＯＭ
５８０ｄ  入出力Ｉ／Ｆ
５８０ｅ  バス
５８１  画像読取制御部
５８２  読取画像記憶部
５８３  ＯＣＲ制御部
５８４  命令情報抽出部
５８５  表示制御部
５８６  入力制御部
５８７  利用者認証部
５８８  認識正当性確認部
５８９  許可操作情報記憶部
５９０  実行正当性確認部
５９１  動作履歴情報記憶部
５９２  識別情報書換部
５９３  ＬＡＮ制御部
５９４  ＦＡＸ制御部
５９５  印刷制御部
６００  ファイアウォール装置
７００  ネットワーク
【図１】
2008244582.tif 000003
【図２】
2008244582.tif 000004
【図３】
2008244582.tif 000005
【図４】
2008244582.tif 000006
【図５】
2008244582.tif 000007
【図６】
2008244582.tif 000008
【図７】
2008244582.tif 000009